(57)【特許請求の範囲】
【請求項１】
紙類または記録媒体を投入する投入口と、前記投入口が設けられた面に平行に移動するシャッタと、回収容器に投入された紙類または記録媒体の蓄積に伴って発生する前記回収容器の内側にかかる力を前記シャッタに伝えるシャッタ駆動部とを備えた回収容器において、
前記回収容器の内側にかかる力を前記シャッタ駆動部が前記シャッタに伝えることにより、前記シャッタが移動して、前記投入口の一部または全部を塞ぐことを特徴とする回収容器。
【請求項２】
紙類または記録媒体を投入する投入口と、前記投入口の上方位置にワイヤで吊り下げられたシャッタと、前記シャッタが前記シャッタの自重により落下しないよう前記ワイヤを保持するためのワイヤ保持部とを備えた回収容器において、
前記回収容器に投入された紙類または記録媒体の蓄積に伴って発生する前記回収容器の内側にかかる力が、前記ワイヤ保持部での保持を解除することにより、前記ワイヤで吊り下げられたシャッタが前記シャッタの自重によって投入口の位置に移動して前記投入口の一部または全部を塞ぐことを特徴とする回収容器。
【請求項３】
請求項２記載の回収容器において、
前記ワイヤ保持部は、ワイヤの一端に設けられた掛け金フックであって、保持の解除は、前記回収容器に投入された紙類または記録媒体の蓄積に伴って発生する前記回収容器の内側にかかる力が、前記掛け金フックを外すことによって行われる回収容器。
【請求項４】
請求項２記載の回収容器において、
前記ワイヤ保持部は、ワイヤの一端に設けられたワイヤを巻き取る歯車であって、保持の解除は、前記回収容器に投入された紙類または記録媒体の蓄積に伴って発生する前記回収容器の内側にかかる力が、前記歯車を前記ワイヤを緩める方向に回転させることによって行われる回収容器。
【請求項５】
紙類または記録媒体を投入する投入口と、前記投入口が設けられた面に平行に移動または回転するシャッタと、前記回収容器に投入された紙類または記録媒体の蓄積に伴って発生する前記回収容器の内側にかかる力を検知して電動モータの電源スイッチをオンにする電動モータ起動部と、前記電動モータの回転力を、ベルトで前記回転するシャッタに伝えるか、またはラックピニオンで前記移動するシャッタに伝えるシャッタ駆動部とを備えた回収容器において、
前記電動モータ起動部が、前記回収容器の内側にかかる力によって電動モータを起動し、前記シャッタ駆動部が、前記電動モータの回転力によって前記シャッタを移動または回転させることにより、前記投入口の一部または全部を塞ぐことを特徴とする回収容器。
【発明の詳細な説明】
【０００１】
【発明の属する技術分野】
本発明は、機密情報や個人情報を記載した書類を含む紙類やそれらの情報が記録されたＣＤ等の記録媒体を回収する回収容器に関するものであり、特に投入された紙類または記録媒体が一定量以上になると、それ以上投入出来ないか、又は出来にくくする、あるいは投入しないように警告を発するように工夫した回収容器に関するものである。
【０００２】
【従来の技術】
官公庁・自治体・民間企業などでは、大量の機密情報や個人情報などが、毎日取り扱われている。そして、昨今のパーソナルコンピュータの爆発的普及とインターネットに象徴される全世界規模でのネットワーク社会の到来により、それらの職場においては、コンピュータ・各種端末プリンター・コピー機などから、膨大な量の書類がプリントアウトされている。これらの書類が用済みとなった場合は、紙のまま回収してからリサイクルに廻すか、あるいは、機密情報や個人情報が含まれている場合には、切断式シュレッダで切断処理してから外部に搬出し、滅却処分（主として焼却・埋立）するのが一般的である。
【０００３】
切断式シュレッダを用いて機密情報や個人情報の漏洩を防止する場合には、情報の判読が出来ないように、紙を例えば縦横とも数ミリメートル程度に細かく切断するのが一般的であるが、このようなやり方では、当然、紙の繊維をも短く切断してしまうことになるため、中古紙として再生する際に、抄紙工程における効率が下がると言われている。また、再生紙製造工程には、この抄紙工程の前に、紙の繊維をほぐしてパルプ状に戻す工程があるが、この「紙をパルプに戻す機械」（パルパー）の中では、このような小細片状の紙は、繊維がほぐれてパルプ状に戻るのに時間がかかってしまうという問題もある。
【０００４】
さらに、一旦切断式シュレッダによって細かく切断されてしまうと、各種の色紙やノリの付いた紙などを、そこから分別除外することが不可能となってしまうため、そのような場合には、良質の白色中古紙としては再生し難くなり、一部はトイレットペーパとして再生されることはあるものの、大部分は焼却・埋立に廻わされてしまうのが一般的である。
【０００５】
一方、紙そのものには、紙の繊維を漂白する際に使用された塩素系漂白剤による塩素が、極く微量ではあるが残留している。従って、紙を焼却した場合には、まわりにプラスチック類があるなど条件が整えば、塩化ビニールを焼却した場合と同じようにダイオキシンが発生すると考えられている。ダイオキシンをはじめとする毒物・有害物の発生防止、環境汚染防止、地球温暖化防止など、健康維持、環境保護のいずれの観点からも、紙の焼却やその燃えかすの埋立は行われるべきでない。
【０００６】
このように、紙を切断式シュレッダによって細かく切断する方式は、機密情報や個人情報を守るという点では有効であるが、資源リサイクル面では不十分であり、かつ、焼却・埋立などによる環境汚染や地球温暖化に関しても、好ましくない面を合わせ持っている。
【０００７】
全ての社会分野に於いて情報化がさらに進展し、これに伴って紙の機密情報や個人情報も、益々大量に生み出されてくる。と同時に、当然のことながら、情報セキュリティリスクも、これに見合って拡大して行く。一方、有限な資源を徹底して再利用し、これを通じて地球環境の保護をはかろうとする「循環型社会づくり」は、時代の急務となっており、2000年6月には「循環型社会形成推進基本法」も制定された。これらの問題を矛盾無く解決するためには、用済み書類を、切断式シュレッダで細かく切断処理することなく原型のまま、かつ、機密事項が漏洩しないようなやり方で回収し、これを高いリサイクル率で再生することが、実現されなければならない。
【０００８】
以上述べた背景を考慮して、不要となった書類を切断式シュレッダーで切断することなく回収し、かつ回収した書類が抜き取られないようにすることを目的とした書類回収容器として、例えば特開2002−53201号公報に開示されたものが知られている。この公報に書かれた書類回収容器は、情報セキュリティを重視して書類投入口の形状を非直線形状としたり、書類投入口に投入ガイド兼書類逆流防止弁を設けたものである。
【０００９】
【発明が解決しようとする課題】
上記の特開2002−53201号公報に示されている書類回収容器は、悪意を持つ者によって回収された書類を抜き取られたりあるいは書類を見られたりすることを防止するのに重点がおかれている。このため、書類投入口から書類回収容器の内部を目視することは、困難又は不可能であり、したがって、書類が際限なく投入されて、甚だしい場合には、書類が投入口からはみ出してしまうなど、かえって情報セキュリティ上、問題が生じてしまう恐れも考えられる。すなわち回収した書類が投入口から抜き取られたり、中の書類の内容が投入口から読み取られたり出来ないようにすればするほど、回収容器の中にどのくらい書類が溜まっているかが、それだけわかりにくくなってしまい、その結果、書類が溜まりすぎて、かえって抜き取られたり読み取られたりする恐れが出てしまう、ということになりかねない。
【００１０】
この問題については上記特開2002−53201号公報の中で、書類回収容器の側面に、覗き穴または覗き窓を１個以上設けることによって解決しようとしているが、この方法は、当然のことながら覗き穴または覗き窓が投入口から離れたところに設けられざるを得ないために、投入者が見落としてしまう恐れがあるため、必ずしも確実とはいえない。
【００１１】
本発明の目的は、上記問題点を解決することであり、官公庁・自治体・民間企業などで日々発生する膨大な量の用済み機密書類や、個人情報が記載された用済み書類等の紙類あるいはそれらの情報が記録されたＣＤ等の記録媒体を、情報の漏洩を防止（情報セキュリティの確保）しつつ回収するとともに、併せて投入された紙類または記録媒体が一定量以上になったときに、自動的に投入口の全部または一部を塞いだり、あるいは警告を発したりして、それ以上投入されないように工夫された回収容器を提供することである。
【００１２】
【課題を解決するための手段】
上記目的を達成するため、本発明の回収容器は、第１に、紙類または記録媒体を投入する投入口と、前記投入口が設けられた面に平行に移動するシャッタと、回収容器に投入された紙類または記録媒体の蓄積に伴って発生する前記回収容器の内側にかかる力を前記シャッタに伝えるシャッタ駆動部とを備えた回収容器において、前記回収容器の内側にかかる力を前記シャッタ駆動部が前記シャッタに伝えることにより、前記シャッタが移動して、前記投入口の一部または全部を塞ぐことを特徴とするものである。これによって、回収された書類あるいは記録媒体が多くなるにつれて徐々にシャッタが投入口を塞ぐことになり、投入者に対して、それ以上の投入をさせないようにすることができる。
【００１４】
第２に、紙類または記録媒体を投入する投入口と、前記投入口の上方位置にワイヤで吊り下げられたシャッタと、前記シャッタが前記シャッタの自重により落下しないよう前記ワイヤを保持するためのワイヤ保持部とを備えた回収容器において、前記回収容器に投入された紙類または記録媒体の蓄積に伴って発生する前記回収容器の内側にかかる力が、前記ワイヤ保持部での保持を解除することにより、前記ワイヤで吊り下げられたシャッタが前記シャッタの自重によって投入口の位置に移動して前記投入口の一部または全部を塞ぐことを特徴とするものである。また第３に、紙類または記録媒体を投入する投入口と、前記投入口が設けられた面に平行に移動または回転するシャッタと、前記回収容器に投入された紙類または記録媒体の蓄積に伴って発生する前記回収容器の内側にかかる力を検知して電動モータの電源スイッチをオンにする電動モータ起動部と、前記電動モータの回転力を、ベルトで前記回転するシャッタに伝えるか、またはラックピニオンで前記移動するシャッタに伝えるシャッタ駆動部とを備えた回収容器において、
前記電動モータ起動部が、前記回収容器の内側にかかる力によって電動モータを起動し、前記シャッタ駆動部が、前記電動モータの回転力によって前記シャッタを移動または回転させることにより、前記投入口の一部または全部を塞ぐことを特徴とするものである。
【００１６】
【発明の実施の形態】
以下、本発明の回収容器のうち、特に紙類を回収する回収容器の一実施形態について図面を用いて詳細に説明する。
（第１の実施形態）
図１および図２は、本発明の第１の実施形態を表す回収容器であり、図１（ａ）は回収容器の全体を示す斜視図である。
図１（ａ）において、100はキャビネット、101はキャビネットに取り付けられた扉、102は紙類を投入するための紙類投入口、103は紙類投入口102の全部または一部を塞ぐためのシャッタであり、その形状は、短冊状，丸棒状，鎖状，格子状，半円状等種々考えられる。104はシャッタ103を上部へ駆動するためのシャッタ駆動部であり、扉101に内蔵されている。105は紙類によって回収容器の内側に加わる圧力を感知し、この圧力をシャッタ駆動部104へ伝えるための圧力感知板、106はキャビネット100に内蔵された紙類回収袋である。
【００１７】
図１（ｂ）、図１（ｃ）、図２（ｄ）はシャッタの作動を説明するための図である。また、図２（ｅ）はシャッタ103が投入口102を塞ぐときの回収容器を正面から見た図である。
以下、図１（ａ）から図２（ｅ）を参照してシャッタ103の動作について説明する。図１（ｂ）において、107はシャッタを保持する保持ロッド、108は保持ロッド107とロッド109を接続するヒンジである。109はロッド、110はクランク、111はロッド固定取付部、112はクランク押し棒である。
図１（ｃ）は扉101の断面図である。図１（ｂ）に示すシャッタ駆動部のうち圧力感知板105を除く他の部品は扉101の内部に組み込まれている。
【００１８】
図２（ｄ）▲１▼および図（ｅ）▲１▼において、投入口102から投入された紙類が少ないときは紙類回収袋106の形状はあまり変化しないが、紙類が紙類回収袋106の中に溜まってくるにつれて、図２（ｄ）▲２▼および図２（ｅ）▲２▼に示すように、紙類の重量により徐々に紙類が紙類回収袋106を内側から押圧する。そうすると、紙類回収袋106は横方向に押されることにより形状が変化し、紙類回収袋106の側面が圧力感知板105を押圧するようになる。ロッド固定取付部111によりロッド109の下端が固定されているため、圧力感知板105の押圧力がクランク押し棒112を介してクランク110を押圧するとシャッタ103が上方へ駆動し、いずれは投入口102の一部分を閉鎖する。このような状態では、投入者に対して紙類を投入しずらくさせる効果があるとともに、投入者に対して紙類がある程度溜まってきたことを知らせる効果もある。この状態においてもさらに投入者が紙類を投入しつづけると、図２（ｄ）▲３▼および図（ｅ）▲３▼に示すように、図２（ｄ）▲２▼の状態に比較して、さらに紙類の重量が増えることにより紙類回収袋106の側面が圧力感知板105を押圧する力が増大し、シャッタ103は完全に投入口102を塞ぐことになる。これにより、投入者は紙類を投入することが完全に出来なくなる。
【００１９】
（第２の実施形態）
図３は、本発明の第２の実施形態を表す回収容器の図である。
図３に示す回収容器のシャッタ103は、図１および図２に示す回収容器のシャッタ103と全く同様の動作をし、異なる点は回収容器の外側から見えるシャッタ103に文字を表示した例である。シャッタ103の上部に「そろそろ満杯です」の文字を表示し、その下に「投入不可」の文字を表示することにより、投入口102の一部分が塞がれる場合には投入者からは「そろそろ満杯です」の文字が見え、さらにシャッタ103が上昇することにより「投入不可」の文字が見えることになる（（ａ）〜（ｆ）参照）。このような構成にすることにより、紙類の溜まり具合を投入者に対して視覚的にも知らせることができ、かつシャッタ103の作用により完全に投入口102を塞ぎ紙類を投入することが完全に出来なくなる。
【００２０】
（第３の実施形態）
図４および図５は、本発明の第３の実施形態を表す回収容器の図である。
図４、図５に示す回収容器は、紙類の投入に伴ないその溜まり具合や投入の可否に関する情報を、回収容器の内側にかかる力によって表示する例であり、投入口102は塞がない。図４、図５において、図１〜図３と同じ箇所には同じ符号を付してある。図４（ａ）は回収容器の全体を示す斜視図である。300は紙類の溜まり具合や投入の可否に関する情報を表示する情報表示部、301は回収容器の内側にかかる力によって情報表示部300を回収容器の外側から見える位置まで、駆動させるための情報表示部駆動機構である。図４（ｂ）から図５（ｅ）は情報表示部駆動機構の動作を示す図である。図４（ｂ）において、保持ロッド107の上端には連接棒303が取り付けられており、さらに連接棒303の上部には情報表示部302が設けられている。これらは図４（ｃ）に示すように、回収容器内の紙類がまだ少ないときには扉101の内部にあるため、回収容器の外側からは見えない。
【００２１】
以下、図４（ｂ）から図５（ｅ）を参照して、情報表示部駆動機構の動作を説明する。図５（ｄ）▲１▼において、投入口102から投入された紙類が少ないときは紙類回収袋106の形状はあまり変化しないが、紙類が紙類回収袋106の中に溜まってくるにつれて、図５（ｄ）▲２▼に示すように、紙類の重量により徐々に紙類が紙類回収袋106を内側から押圧する。そうすると、紙類回収袋106は横方向に押されることにより形状が変化し、紙類回収袋106の側面が圧力感知板105を押圧するようになる。ロッド固定取付部111によりロッド109の下端が固定されているため、圧力感知板105の押圧力がクランク押し棒112を介してクランク110を押圧すると情報表示部302が上方へ駆動し、いずれは扉101の上部側面に設けられたスペース（図示せず）から出てくる（図５（ｅ）参照）。
【００２２】
さらに投入者が紙類を投入しつづけると、紙類が紙類回収袋106の側面を押す力が増大し、図５（ｄ）▲３▼に示すように、図５（ｄ）▲２▼の状態に比較してさらに情報表示部302が上昇する。図５（ｅ）▲１▼〜▲６▼に示すように、情報表示部302の上部に「そろそろ満杯です」の文字を、その下部に「投入不可」の文字を表示することにより、上記第２の実施形態と同様の効果もある。本実施形態の回収容器は、投入者に対して紙類の溜まり具合や投入の可否に関する情報を、回収容器設置場所から離れた位地からも容易に視認させることができるものであり、投入口102は全く塞がないので、紙類が増えてきても投入しずらくなることはない。さらに、本実施形態では、文字の表示によって投入者に対して紙類の溜まり具合を知らせる例を示したが、文字ではなく図形で示したり、光の点滅や形状によって知らせることもできる。
【００２３】
（第４の実施形態）
図６および図７は、本発明の第４の実施形態を表す回収容器であり、図６（ａ）は回収容器の全体を示す斜視図である。
図６、図７において、図１〜図５と同じ箇所には同じ符号を付してある。
本実施形態は、回収された紙類によって回収容器の内側にかかる力に合わせて、シャッタの自重を利用した例である。400はシャッタ駆動を行う機構部であり、シャッタ103とともに扉101の内部に組み込まれている。401は圧力感知板であり、図１の圧力感知板がクランク押し棒112と連動してクランクを押すのと違って、圧力感知板連動ラック・ピニヨンと連動して、シャッタ保持ワイヤー作用歯車403を回転させるものである。
図６（ｂ）から図７（ｄ）はシャッタ駆動部を示す図である。また、図７（ｅ）はシャッタ103が投入口102を塞ぐときの回収容器を正面から見た図である。
【００２４】
以下、図６（ｂ）から図７（ｅ）を参照してシャッタ103の動作を説明する。
図９（ｂ）において、402はシャッタ保持ワイヤー作用歯車403の回転によって上下に移動するシャッタ保持ワイヤである。403はシャッタ保持ワイヤー作用歯車、404はシャッタ保持ワイヤーリセット用巻きバネ、405は圧力感知板連動ラック・ピニヨン、406は回転式のシャッタ保持ワイヤ掛け部である。図６（ｃ）は、扉101の断面図である。図６（ｂ）に示すシャッタ駆動部のうち圧力感知板401を除く他の部品は扉101の内部に組み込まれている。図７（ｄ）▲１▼および図７（ｅ）▲１▼において、投入口102から投入された紙類が少ないときは紙類回収袋106の形状はあまり変化しないが、紙類が紙類回収袋106の中に溜まってくるにつれて、図７（ｄ）▲２▼および図７（ｅ）▲２▼に示すように、紙類の重量により徐々に紙類が紙類回収袋106を内側から押すようになってくる。そうすると、紙類回収袋106は横方向に押されることにより形状が変化し、紙類回収袋106の側面が圧力感知板401を押圧するようになる。これにより圧力感知板連動ラック・ピニヨン405がシャッタ保持ワイヤー作用歯車403を回転させる。
【００２５】
一方、シャッタ103にはその自重により常に下方向に力が働いており、この力が回転式のシャッタ保持ワイヤ掛け部406の作用により、シャッタ保持ワイヤー402を上方向に引っ張っている。この状態において、紙類回収袋106の側面にかかる力によって、シャッタ保持ワイヤ作用歯車403がシャッタ保持ワイヤー402を緩める方向に回転すると、シャッタ103は下方へ移動することになり、いずれは投入口102の一部分を閉鎖する。この状態により、投入者に対して紙類を投入しずらくさせる効果があるとともに、投入者に対して紙類がある程度溜まってきたことを知らせる効果もある。そしてさらに投入者が紙類を投入しつづけると、図７（ｄ）▲３▼および図７（ｅ）▲３▼に示すように、紙類の重量が増え、紙類回収袋106の側面が圧力感知板401を押圧する力が増大し、シャッタ103は完全に投入口102を塞ぐ。
【００２６】
（第５の実施形態）
図８および図９は、本発明の第５の実施形態を表す回収容器の図である。
図８、図９において、図１〜図７と同じ箇所には同じ符号を付してある。
本実施形態の回収容器は、回収された紙類によって回収容器の内側にかかる力が一定の大きさになって初めて、シャッタ103が投入口102を閉鎖するものである。また、本実施形態は、回収された紙類によって回収容器の内側にかかる力とシャッタの自重を併用した回収容器の例でもある。
図８（ａ）は、回収容器の全体を示す斜視図である。図８（ａ）において、500はシャッタ作用機構部であり、シャッタ103とともに扉101の内部に組み込まれている。図８（ｂ）から図９（ｄ）はシャッタ駆動部の動作を示す図である。
また、図９（ｅ）はシャッタ103が投入口102を塞ぐときの回収容器を正面から見た図である。
【００２７】
以下、図８（ｂ）から図９（ｅ）を参照してシャッタ駆動部の動作について説明する。図８（ｂ）において、501は掛け金、502は掛け金501が掛け金フック504から外れたときに回転する軸となる支点である。503は掛け金501とシャッタ保持ワイヤ402とが連結されている連結部、504は掛け金フックであり掛け金501がシャッタ103の自重によりシャッタ保持ワイヤ402が上方へ引っ張られる力によって固定されている。505は掛け金501を押すための押し棒である。図８（ｃ）は、扉101の断面図である。図８（ｂ）に示すシャッタ駆動部のうち圧力感知板401および掛け金押し棒505を除く他の部品は扉101の内部に組み込まれている。
【００２８】
図９（ｄ）▲１▼および図（ｅ）▲１▼において投入口102から投入された紙類が少ないときは紙類回収袋106の形状はあまり変化しないが、紙類が紙類回収袋106の中に溜まってくるにつれて、徐々に紙類が紙類回収袋106を内側から押すようになってくる。そうすると、紙類回収袋106は横方向に押されることにより形状が変化し、紙類回収袋106の側面が圧力感知板401を押圧するようになる。これにより掛け金押し棒505が掛け金501を押しはじめる。そして、紙類によって生じる圧力が一定以上になると、図９（ｄ）▲２▼に示すように掛け金501が掛け金フック504から外れ、シャッタ103の自重によりシャッタ保持ワイヤ402が上方へ引っ張られ、支点502を軸にして掛け金が回転する。これによりシャッタ103がその自重により下方へ移動し、投入口102を閉鎖する（図９（ｅ）▲２▼参照）。
【００２９】
（第６の実施形態）
図１０および図１１は、本発明の第６の実施形態を表す回収容器の図である。
図１０，図１１において、図１〜図９と同じ箇所には同じ符号を付してある。
本実施形態の回収容器は、回収された紙類の重量が一定の大きさになって初めて、シャッタ103が投入口102を閉鎖するものであると同時に、回収された紙類によって回収容器の内側にかかる力（ここでは回収容器の底面にかかる力が該当する）と電動モータの電気を併用した力でシャッタを作動させる回収容器の例でもある。図１０（ａ）は、回収容器の全体を示す斜視図である。図１０（ａ）において、600はシャッタ作用機構部であり、シャッタ103とともに扉101の内部に組み込まれている。
【００３０】
図１０（ｂ）から図１１（ｄ）は、シャッタ駆動部を示す図である。
図１０（ｂ）において、601はシャッタ103を保持するシャッタ保持ロッドである。602はシャッタ作用電動モータの回転をシャッタ保持ロッド601に伝えて上方へ移動させるためのシャッタ作用ラックピニオン、603は上方へ移動して投入口を閉鎖したシャッタ103を元の位置に戻すためのシャッタ復旧リセットボタン、604はシャッター作用電動モーターである。605は回収容器の底板、606は回収容器底板605の下にあってその4隅を保持している保持バネ、607はリミットスイッチである。608は紙類の重量を感知しリミットスイッチ607をオンオフする圧力感知機構部である。図１０（ｃ）は、扉101の断面図である。図１０（ｂ）に示すシャッタ駆動部は扉101の内部に組み込まれており、シャッタ復旧リセットボタン603近傍の扉部分はボタンが押せるように穴があいていることが望ましい。図１０（ｂ）から図１１（ｄ）は、シャッタ駆動部の動作を示す図である。
【００３１】
以下、図１０（ｂ）から図１１（ｄ）を参照してシャッタ駆動部の動作について説明する。図１０（ｂ）および図１１（ｄ）▲１▼のように回収容器内の紙類がまだ少ないときは保持バネ606の力によって底板605は元々の位置に保持されているが、紙類が溜まってくるにつれてその重量から保持バネ606が縮み、その結果、底板605が下方へ移動する（図１１（ｄ）▲２▼参照）。これにより底板605がリミットスイッチ607を押してスイッチがオンとなり、電動モータ604が回転する。
この回転によりシャッタ作用ラックピニオン602が回転し、シャッタ保持ロッド601を徐々に上方へ押し上げる（図１１（ｄ）▲２▼参照）。そしてシャッタ103は投入口102の一部を閉鎖する状態になり、最後には完全に投入口102を閉鎖する。
【００３２】
（第７の実施形態）
図１２および図１３は、本発明の第７の実施形態を表す回収容器の図である。
図１２、図１３において、図１〜図１１と同じ箇所には同じ符号を付してある。本実施形態の回収容器は、回収された紙類の重量が一定の大きさになると、投入口の近傍に設けられた紙類投入状況表示部が光を発して紙類の投入可／不可を投入者に知らせるものである。また、本実施形態は回収された紙類によって回収容器の内側にかかる力（ここでは回収容器の底面にかかる力が該当する）と電気を併用して紙類投入状況表示部を点灯させるようにした回収容器の例でもある。
【００３３】
図１２（ａ）は、回収容器の全体を示す斜視図である。図１２（ａ）において、700は紙類投入状況表示部、701は紙類の重量を感知しリミットスイッチ702をオンオフする圧力感知機構部である。703は回収容器の底板、704は底板703の下にあってその4隅を保持している保持バネである。図１２（ｂ）および図１２（ｃ）において、705はランプ等の発光体である。本実施形態でランプ発光体705のオンオフあるいは点灯の切替は、図１０、図１１で説明したリミットスイッチによって行う。リミットスイッチ702をオンオフする仕組みも、図１０，図１１で説明したとのと同様であるため説明は省略する。
【００３４】
本実施形態の回収容器は、図１３（ｄ）▲１▼に示すように、紙類がまだ溜まっていない状態、すなわちリミットスイッチ702が押されていない状態で「投入可」の文字が表示されたランプを点灯させるようにし、紙類の重量でリミットスイッチ702が押されたときにランプの点灯を「投入不可」へ切替えるものである。
また、図１３（ｄ）▲２▼に示すように、文字の代わりに「○」「×」等の図形を表示しても同様の効果がある。さらに、リミットスイッチ702によってランプの点灯をオンオフし、「点灯」時には「投入可」を意味し、「消灯」時には「投入不可」を意味させることも可能である。
【００３５】
図１４および図１５は、本発明の第８および第９の実施形態を表す回収容器の図である。
以上、第１〜第７までの実施形態でシャッタまたは情報表示部の動作について説明したが、例えばシャッタの変形例として、図１４▲１▼〜▲３▼に示すような形態も考えられる。これは、電動モータの回転をそのままベルトによってシャッタに伝え、シャッタの回転により投入口を塞ぐものである。さらに、この形態の応用例として図９▲１▼〜▲３▼に示すように、回収された紙類が少ないときは「投入可」の文字を表示させておき、回収された紙類によって回収容器の内側にかかる力が大きくなるとリミットスイッチ（図示せず）がオンになりモータの回転によってシャッタが「投入可」の文字を徐々に隠すようにすることも可能である。
「投入可」の文字の代わりに表示ランプや蛍光塗料を塗布した印であってもよい。
【００３６】
以上、本発明の実施形態について、いずれも紙類を回収する容器ということで説明してきた。なお、ここにおいて、「紙類」とは、単葉、複葉の紙のみでなく、パンフレットや雑誌などのような綴じられたもの、報告書や本などのように製本されたものを含み、かつ、紐で束ねられたり、紙袋や布袋などに入れられたりしたもの、さらには、はがき・封書などの郵便物、紙幣・有価証券などの有価物をも含んでいる。また、本発明の回収容器は「紙類」のみに限らず、布、プラスチック、木材、金属あるいはそれらの複合材料などに、文字や絵柄や図形などを記入したり記録したり印刷したりしたものや、一旦容器に回収後は、そこから第三者に取り出されては困る物件の回収にも有効であり、クレジットカードやメモリーカードなどのカード類、フレキシブルディスクやＣＤや光ディスクなどのディスク類、ＶＴＲやカセットテープなどのテープ類などの記録媒体の回収容器としても適用できる。
【００３７】
【発明の効果】
以上説明したように、本発明によれば、官公庁、自治体、企業などで、日々発生する膨大な量の用済み機密書類や個人情報が記載された用済み機密書類や、個人情報が記載された用済み書類等の紙類、さらにはこれら機密情報が記録された記録媒体を、情報の漏洩を防止（情報セキュリティの確保）しつつ回収できるとともに、併せて投入された紙類または記録媒体が一定量以上になったときに、自動的に投入口の全部または一部を塞いだり、あるいは警告を発したりすることで、投入者の投入行為に歯止めをかけたり、あるいは廃棄時期を知らせるのに役立つという効果がある。
【図面の簡単な説明】
【図１】本発明の第１の実施形態を表す回収容器を説明するための図（１）である。
【図２】本発明の第１の実施形態を表す回収容器を説明するための図（２）である。
【図３】本発明の第２の実施形態を表す回収容器を説明するための図である。
【図４】本発明の第３の実施形態を表す回収容器を説明するための図（１）である。
【図５】本発明の第３の実施形態を表す回収容器を説明するための図（２）である。
【図６】本発明の第４の実施形態を表す回収容器を説明するための図（１）である。
【図７】本発明の第４の実施形態を表す回収容器を説明するための図（２）である。
【図８】本発明の第５の実施形態を表す回収容器を説明するための図（１）である。
【図９】本発明の第５の実施形態を表す回収容器を説明するための図（２）である。
【図１０】本発明の第６の実施形態を表す回収容器を説明するための図（１）である。
【図１１】本発明の第６の実施形態を表す回収容器を説明するための図（２）である。
【図１２】本発明の第７の実施形態を表す回収容器を説明するための図（１）である。
【図１３】本発明の第７の実施形態を表す回収容器を説明するための図（２）である。
【図１４】本発明の第８の実施形態を表す回収容器を説明するための図である。
【図１５】本発明の第９の実施形態を表す回収容器を説明するための図である。
【符号の説明】
１００…キャビネット、１０１…扉、１０２…紙類投入口、
１０３…シャッタ、１０４…シャッタ駆動部、１０５…圧力感知板、
１０６…紙類回収袋、１０７…保持ロッド、１０８…ヒンジ、
１０９…ロッド、１１０…クランク、１１１…ロッド固定取付部、
１１２…クランク押し棒、３００…情報表示部、
３０１…情報表示部駆動機構、３０２…情報表示部、
４００…シャッタ駆動機構部、４０１…圧力感知板、
４０３…シャッタ保持ワイヤー作用歯車、
４０４…シャッタ保持ワイヤーリセット用巻きバネ、
４０５…圧力感知板連動ラック・ピニョン、
４０６…シャッタ保持ワイヤ掛け部、５００…シャッタ作用機構部、
５０１…掛け金、５０２…回転軸となる支点、５０３…連結部、
５０４…掛け金フック、５０５…押し棒、６００…シャッタ作用機構部、
６０１…シャッタ保持ロッド、６０２…シャッタ作用ラックピニオン、
６０３…シャッタ復旧リセットボタン、６０４…シャッタ作用電動モーター、
６０５…回収容器の底板、６０６…圧力感知機構部、
６０７…リミットスイッチ、６０８…圧力感知機構部、
７００…紙類投入状況表示部、７０１…圧力感知機構部、
７０２…リミットスイッチ、７０３…底板、７０４…保持バネ、
７０５…ランプ等の発光板。
【図１】
0003687630.tif 000002
【図２】
0003687630.tif 000003
【図３】
0003687630.tif 000004
【図４】
0003687630.tif 000005
【図５】
0003687630.tif 000006
【図６】
0003687630.tif 000007
【図７】
0003687630.tif 000008
【図８】
0003687630.tif 000009
【図９】
0003687630.tif 000010
【図１０】
0003687630.tif 000011
【図１１】
0003687630.tif 000012
【図１２】
0003687630.tif 000013
【図１３】
0003687630.tif 000014
【図１４】
0003687630.tif 000015
【図１５】
0003687630.tif 000016